(57)【要約】      （修正有）【課題】少量の炊飯にあっても洗米が容易であり、簡単、迅速に米飯を炊くことのできる電子レンジ用炊飯器具を提供する。【解決手段】上部に開口を有する器具本体、該器具本体の開口部分に配置される内蓋、及び内蓋の外側に取り付けられ器具本体の開口を覆う外蓋を有する電子レンジ用炊飯器具であって、内蓋は第一枡と、その底面を共有しつつ反対面に形成した容量のより大きな第二枡を有し、これら第一及び第二枡の共有底面部分以外の第二枡の周縁部に気液の流通が可能で、かつ米粒の流出を阻止する開口部寸法を有する第二枡流通孔が設けられ、外蓋は、通気孔を有すると共に内蓋の第一枡内に嵌合可能な陥没部を有し、前記内蓋の第一枡に外蓋の陥没部を嵌合させることにより、該陥没部の通気孔が閉鎖される電子レンジ用炊飯器具。【選択図】図１
0003165285.tif 000002
【実用新案登録請求の範囲】
【請求項１】
上部に開口を有する器具本体、該器具本体の開口部分に配置される内蓋、及び内蓋の外側に取り付けられ器具本体の開口を覆う外蓋を有する電子レンジ用炊飯器具であって、
(ｉ)前記の器具本体は、底面を備えた容器及び該器具本体の開口の外周に設けた本体縁部
を有し、
(ii)前記内蓋は、
第一枡と、その底面を共有しつつ反対面に形成した容量のより大きな第二枡とを有し、
これら第一及び第二枡の共有底面部分以外の第二枡の周縁部に気液の流通が可能で、
かつ米粒の流出を阻止する開口部寸法を有する第二枡流通孔が設けられ、
(iii)前記外蓋は、
外周をなす外蓋外周部及び
前記外周部の内側に陥没して形成され、かつ通気孔を有し内蓋の第一枡内に嵌合可能な陥没部を備え、
内蓋の第一枡に外蓋の陥没部を嵌合させることにより陥没部の通気孔が閉鎖される
ことを特徴とする電子レンジ用炊飯器具
【請求項２】
前記外蓋の外周の対向する位置に１対以上の外蓋固定具を設け、該固定具に対応して外蓋を器具本体に固定する本体固定具を本体縁部に設けてなる請求項１の電子レンジ用炊飯器具。
【請求項３】
外蓋固定具が外蓋の外周の対向する位置において外方に張り出して設けられた少なくとも１対の突起片であり、本体固定具が前記突起片を受けるガイドレールである請求項２の電子レンジ用炊飯器具。
【請求項４】
外蓋固定具及び本体固定具として、いずれか一方にバックル部材を設け、他方にその係止部を設けてなる請求項２の電子レンジ用炊飯器具。
【請求項５】
内蓋の中央付近に通液孔を設けてなる請求項１〜４項いずれかの電子レンジ用炊飯器具。
【請求項６】
内蓋の第二枡及びこれと接する器具本体の上部開口近傍に設けた内蓋受けの各々接触部に凹部と凸部との組み合わせからなる少なくとも１組の内蓋位置決め機構を設け、かつ、第一枡及びこれと接する外蓋の部分に、凹部と凸部との組み合わせからなる少なくとも一組の外蓋位置決め機構を設けて、器具本体に第一枡を上にして内蓋及び外蓋を取り付け内蓋により外蓋の通気孔が閉鎖された場合に、これら内蓋、外蓋位置決め機構の相互位置関係により、外蓋固定具が本体固定具と係合することを防止した請求項２〜５項いずれかの電子レンジ用炊飯器具。
【考案の詳細な説明】
【技術分野】
【０００１】
本考案は電子レンジにより加熱して炊飯を行う電子レンジ用炊飯器具に関する。本考案の電子レンジ用炊飯器具は、少量の米飯を簡便にかつ短時間で炊きあげることができ、単身世帯をはじめ、少量の米の炊飯が必要な場合に極めて重宝な器具である。
【背景技術】
【０００２】
近年、加熱器具として電子レンジを使用した調理が家庭や業務面で一層拡大しており、特に少量の食材の電子レンジによる個別調理が普及している。このような事情から、電子レンジ調理に適したプラスチック製の容器が種々市販されるに至っている。例えば、電子レンジ向けの炊飯用器具、即席麺の調理容器や、肉まん、温野菜などの加熱調理に適したプラスチック容器も市販されている。これらのうち、炊飯用器具としては、加熱処理する食材(洗米)を入れる容器本体と、その内部に配置される中蓋と、該容器本体の上蓋とを設けた電子レンジ用加熱容器についての提案がある(例えば、特開２００３−１４４３１６号、特開２００４−８３０７３号)。
【０００３】
このような調理容器は、いわゆる個食化と称される近年の食生活の傾向に沿うものであり炊飯においては、一合或いはそれ以下の少量の米を洗米し炊飯がなされる。このような少量の米では炊飯容器に入れても容器中の米の嵩が僅かであり、水を加えて撹拌し米を“とぐ”ことは思いのほか作業性が悪い。
【先行技術文献】
【特許文献】
【０００４】
【特許文献１】特開２００３−１４４３１６号
【特許文献２】特開２００４−８３０７３号
【考案の開示】
【考案が解決しようとする課題】
【０００５】
本考案の目的は、少量の炊飯にあっても洗米が容易であり、簡単、迅速に米飯を炊くことのできる電子レンジ用炊飯器具を提供するものである。
【課題を解決するための手段】
【０００６】
本考案は
上部に開口を有する器具本体、該器具本体の開口部分に配置される内蓋、及び内蓋の外側に取り付けられ器具本体の開口を覆う外蓋を有する電子レンジ用炊飯器具であって、
(ｉ)前記の器具本体は、底面を備えた容器及び該器具本体の開口の外周に設けた本体縁部
を有し、
(ii)前記内蓋は、
第一枡と、その底面を共有しつつ反対面に形成した容量のより大きな第二枡とを有し、
これら第一及び第二枡の共有底面部分以外の第二枡の周縁部に気液の流通が可能で、
かつ米粒の流出を阻止する開口部寸法を有する第二枡流通孔が設けられ、
(iii)前記外蓋は、
外周をなす外蓋外周部及び
前記外周部の内側に陥没して形成され、かつ通気孔を有し内蓋の第一枡内に嵌合可能な陥没部を備え、
内蓋の第一枡に外蓋の陥没部を嵌合させることにより陥没部の通気孔が閉鎖される
ことを特徴とする電子レンジ用炊飯器具を提供するものである。
【０００７】
本考案の電子レンジ用炊飯器具においては、
前記外蓋の外周の対向する位置に１対以上の外蓋固定具を設け、該固定具に対応して外蓋を器具本体に固定する本体固定具を本体縁部に設けることにより、器具本体、内蓋、外蓋が一体となり安定して好ましい。特に、外蓋固定具が外蓋の外周の対向する位置において外方に張り出して設けられた少なくとも１対の突起片であり、本体固定具が前記突起片を受けるガイドレールであるもの、或いは外蓋固定具及び本体固定具として、いずれか一方にバックル部材を設け、他方にその係止部を設けてなるものが好ましい。
また、内蓋の中央付近に通液孔を設け吹き上がった水分が順調に器具本体内に戻るようにするのが好ましい。
【０００８】
また、炊飯時の容器密閉性を防止するように構成されているのが好ましい。すなわち、内蓋の第二枡及びこれと接する器具本体の上部開口近傍に設けた内蓋受けの各々接触部に凹部と凸部との組み合わせからなる少なくとも１組の内蓋位置決め機構を設け、かつ、第一枡及びこれと接する外蓋の部分に、凹部と凸部との組み合わせからなる少なくとも一組の外蓋位置決め機構を設けるのが好ましい。このような構造により、器具本体に第一枡を上にして内蓋及び外蓋を取り付け内蓋により外蓋の通気孔が閉鎖された(洗米時状態)ままでは、内蓋・外蓋位置決め機構の相互位置関係により、外蓋に設けた外蓋固定具が本体固定具と係合することはなく、たとえ炊飯を行っても容器内の僅かな圧力により外蓋が持ち上がり外れてトラブルを防止できる。
【考案の効果】
【０００９】
本考案の電子レンジ用炊飯器具によると、少量の炊飯にあっても洗米が容易であり、簡単、迅速に米飯を炊くことができる。
【図面の簡単な説明】
【００１０】
【図１】本考案の炊飯器具において、器具本体より内蓋、外蓋を取り外したところを示す斜視図である。
【図２】図１の炊飯器具の組立状態を示す斜視図である。
【図３】図１の炊飯器具の外蓋の裏面を示す斜視図である。
【図４ａ】図１の炊飯器具の内蓋を第一枡の側から見た斜視図である。
【図４ｂ】図１の炊飯器具の内蓋を第二枡の側から見た斜視図である。
【図５】図１の炊飯器具を用いた炊飯作業を示す説明図である。
【考案を実施するための最良の形態】
【００１１】
つぎに本考案の電子レンジ用炊飯器具を、前記図面に挙げた具体例を参照しながら更に詳細に説明する。図１及び図２に示す本考案の具体例において、電子レンジ用炊飯器具１は、上部に開口を有する器具本体１０、該器具本体の開口部分に配置される内蓋３０、及び内蓋の外側に配置され器具本体の開口を覆う外蓋４０からなる。
【００１２】
(器具本体)
器具本体１０は底面１２を備えたほぼ円筒形の容器１３及びその開口１４の外周に設けた本体縁部２０を有する。  
本体縁部２０は、開口１４から水平に鍔状に張り出し、円形の開口１４に関して対向する位置に１対の拡張部２１ａ、２１ｂを有する。該拡張部の各々には、外蓋に設けた後記の外蓋固定具を受けて外蓋４０をこの器具本体１０に固定する本体固定具が設けられている。この本体固定具は、拡張部２１の上面に開口１４の外周に沿う短い円弧状のガイドレール２３ａ、２３ｂとして設けられる。このガイドレールは、内側に開くガイド溝２５ａ(２５ｂは図示せず)を有し、円周方向の同一方向にその一端が開放され他端が閉じた形状をなし、水平回転させた外蓋固定具を受けて外蓋を固定する。
一方、器具本体１０の内側の上部の開口近傍には、内蓋を受けるリング状段差からなる内蓋受け２７が設けられ、内蓋受け上にあって前記拡張部２１に近い位置には内蓋位置決め機構である凹部２８が開口１４に関して対向する位置に一対設けられ内蓋の位置決めを行う。
【００１３】
(内蓋)
内蓋３０は器具本体１０の開口１４に配置され、図４ａ及び図４ｂに示すように、米を計量する大小二枚の円形皿状の計量枡が、その底面で接着した形態をなす。この２つの計量枡は、容量の小さな第一枡３１と、これと底面を共有しつつ、その反対面に形成した容量のより大きな第二枡３２からなる。この具体例では、第一枡は０.５合枡、第二枡は１合枡として設計されている。第一枡及び第二枡の共通底面部分以外の部分にあたる第二枡の周縁部には洗米時に米粒の流出を防ぎつつとぎ汁を排出し、また、炊飯時には炊飯蒸気が排出される気液流通の可能な開口部寸法に設定された第二枡流通孔３４が設けられる。
この第二枡流通孔３４は、図４ａ及び図４ｂのごとく格子状であるほか、複数の円孔、網目などその機能を果たしうる形状、寸法であれば種々の形態であってよい。
【００１４】
また、内蓋３０の外周には水平に内蓋フランジ３５が設けられ、このフランジの第二枡側の面上には、前記器具本体１０の凹部２８に嵌まる突起として凸部３８が設けられる。このように、内蓋３０の第二枡及びこれと接する器具本体１０の上部開口近傍に設けた内蓋受け２７の各々接触部に凸部３８と凹部２８との組み合わせからなる１組の内蓋位置決め機構が形成される。これらの機構は、通常、本体開口の開口位置に１箇所又は２箇所、必要によりそれ以上を設けてもよい。内蓋位置決め機構としては、本具体例の凹部と凸部からなる組み合わせのほか、かかる機能を示す構造として樹脂成形分野において公知の他の構造を採用してもよい。
【００１５】
一方、第一枡３１の側壁３３の上端には、円形の第一枡３１の開口に関して対向した位置に一対の凹部３７ａ、３７ｂが設けられ、外蓋位置決め機構をなす。
また、内蓋３０の中央には、炊飯時に内蓋の上まで吹きあがった水分を器具本体に戻す複数の通液孔３６が設けらている。
【００１６】
(外蓋)
外蓋４０は内蓋３０を器具本体１０の内蓋受け２７の上に配置して、更にその上に取り付ける。外蓋４０にはその外周をなす外蓋外周部４６を有する。さらに、その外側の外蓋に関し対向する位置には外方向に張り出す１対の突起片４８ａ,４８ｂが設けられる。この突起片は、本体固定具である前記ガイドレール２３のガイド溝２５に横方向用よりスライドして嵌合し、外蓋４０を器具本体１０に固定する外蓋固定具を形成する。
【００１７】
前記の外蓋固定具及び本体固定具としては、外蓋、器具本体のいずれか一方にバックル部材を設け、他方にその係止部を設けてなる固定方式であってもよい。
【００１８】
外蓋外周部４６の内側には、下方にへこんだ陥没部４１が形成される。該陥没部は内蓋の第一枡３１内に緊密に嵌合可能でかつ通気孔４２を有する。該通気孔は、陥没部４１の底面、側面に設けられる。
陥没部４１の中央部分には、陥没部を二分する持ち手４４が設けられる。このような外蓋４０の陥没部４１を、内蓋３０の第一枡３１内に嵌合させることにより、陥没部４１の通気孔４２が閉止され、米と水を容器に入れ洗米のため容器を振った場合も水が容器の外に飛び散ることはない。
【００１９】
図３に示すように、陥没部４１の側面の裏側(容器内)の対向する位置には１対の凸部４７ａ,４７ｂが設けられ、第一枡の側壁上端に設けた対応する１対の前記凹部３７ａ,３７ｂと嵌合可能に調整され、内蓋の側壁上端及びこれに接する外蓋の裏面に設けた各々凸部と凹部との組み合わせからなる１組の外蓋位置決め機構が形成される。
【００２０】
このように内蓋位置決め部材、外蓋位置決め部材を設けて、器具本体に第一枡を上にして内蓋及び外蓋を取り付け、内蓋の第一枡により外蓋の通気孔が閉鎖された場合、これら内蓋・外蓋位置決め機構の相互位置関係により、外蓋４０に設けた外蓋固定具が器具本体１０に設けた本体固定具とロックされるのを防止し、容器の密閉による炊飯時のトラブルが未然に防止される。
【００２１】
本考案の電子レンジ用炊飯器具の材料としては、食品用調理器具に汎用の各種材料がいずれも用いられてよく、通常、ポリプロピレンなどのプラスチック材料により公知の成形法にて製造することができる。
【００２２】
(使用方法)
つぎに図６により本考案の器具を用いて炊飯を行う操作を説明する。
(１)内蓋を用いて米を計量する。第１枡では０.５合、第２枡では１合を計量することができる。
(２)計量した米と適量の水を器具本体に入れる。
(３)器具本体に内蓋を置き、さらにその上から外蓋を被せる。このとき、第１枡をうえにして、外蓋の陥没部の通気孔を閉止する。前記内蓋位置決め機構、外蓋位置決め機構により器具本体への外蓋の固定はなされず、手で押さえながら器具を振り、洗米を行う。
(４)外蓋をとり、内蓋を押さえ、内蓋の第二枡流通孔より水を捨てる。
(５)米の入った容器に炊飯に適量な水を加え、適当な時間漬け置く(２０〜３０分程度)。
(６)内蓋、外蓋を炊飯位置にセットする。すなわち、内蓋の第二枡を上にしてとり付け、外蓋を本体に固定する。この状態では容器の内外の通気が確保される。
(７)このようにした器具を電子レンジに入れて所定時間加熱を行う。加熱時間の目安は、米１合の場合５００ｗで１０分間、米０.５合の場合５００ｗで７分である。
加熱終了後、電子レンジから器具を取り出し、蓋をしたまま２０分程度蒸らし、食卓に供する。
【産業上の利用可能性】
【００２３】
この考案は少量の炊飯にあっても洗米が容易であり、簡単、迅速に米飯を炊くことのできる電子レンジ用炊飯器具を提供する。
【符号の説明】
【００２４】
１０  器具本体        １２  底面        １３  容器          １４  開口
２０  本体縁部        ２１ａ,２１ｂ  拡張部
２３ａ,２３ｂ  ガイドレール            ２５ａ  ガイド溝      ２８  凹部        
３０  内蓋            ３１  第一枡        ３２  第二枡        ３３  側壁
３４  第二枡流通孔    ３５  内蓋フランジ    ３６  通液孔      
３７ａ,３７ｂ  凹部                        ３８  凸部
４０  外蓋            ４１  陥没部        ４２  通気孔      ４４  持ち手
４６  外蓋外周部      ４７ａ,４７ｂ    凸部              ４８ａ,４８ｂ  突起片
【図１】
0003165285.tif 000003
【図２】
0003165285.tif 000004
【図３】
0003165285.tif 000005
【図４ａ】
0003165285.tif 000006
【図４ｂ】
0003165285.tif 000007
【図５】
0003165285.tif 000008